(57)【要約】【課題】  構造が簡素であって、取り付けに広いスペースを必要としない網戸付き扉装置を提供する。【解決手段】  網戸付き扉装置は、建物の開口部の一方の側に回動可能に設置される親扉１と、その開口部の他方の側に回動可能に設置される子扉２と、子扉２と実質的に同じ大きさを有し、開口部の子扉２が設置される側に子扉２とは反対の方向に回動可能に設置される網戸３とを有する。【選択図】図２
0003107270.tif 000002
【実用新案登録請求の範囲】
【請求項１】
建物の開口部の一方の側に回動可能に設置される親扉と、
前記開口部の他方の側に回動可能に設置される子扉と、
前記子扉と実質的に同じ大きさを有し、前記開口部の前記子扉が設置される側に前記子扉とは反対の方向に回動可能に設置される網戸と、
を有する網戸付き扉装置。
【請求項２】
前記子扉を開いて前記網戸を閉じた状態のときに前記親扉のラッチを受けるために前記網戸に備えられたラッチ受け具をさらに有する、請求項１に記載の網戸付き扉装置。
【請求項３】
前記ラッチ受け具は、前記網戸に固定される固定部材と、前記親扉のラッチを受ける開口が形成され該固定部材に対して回動自在に設けられた可動部材とを有しており、
前記固定部材と前記可動部材とには、前記可動部材が前記固定部材に対して所定の角度に開いたときに前記可動部材と前記固定部材とを互いに係止する係止部が設けられている、請求項２に記載の網戸付き扉装置。
【請求項４】
前記係止部は、前記固定部材に形成された第１の凹凸部と、前記可動部材が前記固定部材に対して所定の角度に開いたときに前記第１の凹凸部に係合するように前記可動部材に形成された第２の凹凸部とからなる、請求項３に記載の網戸付き扉装置。
【考案の詳細な説明】
【技術分野】
【０００１】
本考案は網戸付き扉装置に関するものである。さらに詳しくは、本考案は、親扉と子扉とを備えたいわゆるフレンチ扉式の網戸付き扉装置に関するものである。
【背景技術】
【０００２】
従来から、例えば玄関の扉に取り付ける網戸装置として、プリーツを施すことによりアコーディオン式に横向きに伸縮自在としたネットを備えた折り畳み式の網戸装置が、実開平５−３５９１号公報に開示されている。また、上下左右を囲む枠部材からなる矩形状の網戸枠内にネットが取り付けられている左右２枚の網戸を丁番で結合させた２枚折り（中折り）式の網戸装置もよく知られている。
【０００３】
さらに、特開２０００−１１０４６５号公報には、複数枚の分割網戸を開口部の幅方向にスライドさせることで開口部の開閉を行うことが可能な玄関用のスライド式網戸装置が開示されている。
【考案の開示】
【考案が解決しようとする課題】
【０００４】
しかしながら、プリーツ加工を施した折り畳み式の網戸装置は、プリーツ自体が損傷しやすく、ネットの開閉動作を繰り返すとネット自体が損傷しやすいため、耐久性が低い。２枚折り（中折り）式の網戸装置やスライド式の網戸装置は、構造的にはプリーツ加工を施した折り畳み式の網戸装置よりも強度が高いものの、折り畳んだ網戸やスライドさせて重ね合わせた網戸を収容するためのスペースが必要であるため、そのようなスペースを確保できない等の理由で取り付けを断念しなければならない場合がある。
【０００５】
また、いずれの網戸装置も特別な複雑な構成を必要とするため、装置自体が高価な上に、その取り付けに要する費用も高価になってしまう。
【０００６】
そこで本考案は、構造が簡素であって、取り付けに広いスペースを必要としない網戸付き扉装置を提供することを目的とする。
【課題を解決するための手段】
【０００７】
上記目的を達成するため、本考案の網戸付き扉装置は、建物の開口部の一方の側に回動可能に設置される親扉と、前記開口部の他方の側に回動可能に設置される子扉と、前記子扉と実質的に同じ大きさを有し、前記開口部の前記子扉が設置される側に前記子扉とは反対の方向に回動可能に設置される網戸と、を有する。
【０００８】
上記の網戸付き扉装置によれば、網戸は、子扉とほぼ同じ大きさであることから、建物の開口部全体を覆う大きさを有するものに比べて大幅に小型化を図ることができる。また、網戸を折り戸式やスライド式のような複雑な構成にする必要がないことから、網戸自体のコストおよびその取り付けコストを低く抑えることができる。
【０００９】
さらに、本考案のように親扉と子扉とを備えた扉装置では普段の出入りは親扉の開閉だけで行われるため、通常は出入り時に網戸が開閉されることはない。網戸が建物の開口部全体を覆う構成では出入りの度に網戸が開閉されるため網戸が故障しやすいが、本考案の構成によれば網戸の開閉頻度が低くなることから、網戸が故障することを抑えることができる。
【００１０】
さらに、前記子扉を開いて前記網戸を閉じた状態のときに前記親扉のラッチを受けるために前記網戸に備えられたラッチ受け具を有する構成としてもよい。
【００１１】
親扉と子扉とが閉位置にあるときには、子扉のラッチ受けに親扉のラッチが係止するため、親扉が子扉に対して風などによって不用意に開いてしまうことはない。しかし、子扉を開いた状態では親扉のラッチが子扉のラッチ受けに係止しないため、何らかの措置を講じない限り、親扉は風などによって不用意に開いてしまうおそれがある。そこで、本考案のようにラッチ受け具を備えることにより、閉位置に固定された網戸のラッチ受け具に親扉のラッチを係止させることで、親扉が不用意に開いてしまうことを防止することが可能になる。
【００１２】
前記ラッチ受け具は、前記網戸に固定される固定部材と、前記親扉のラッチを受ける開口が形成され、該固定部材に対して回動自在に設けられた可動部材とを有しており、前記固定部材と前記可動部材とには、前記可動部材が前記固定部材に対して所定の角度に開いたときに前記可動部材と前記固定部材とを互いに係止する係止部が設けられている構成としてもよい。
【００１３】
さらに、前記係止部は、前記固定部材に形成された第１の凹凸部と、前記可動部材が前記固定部材に対して所定の角度に開いたときに前記第１の凹凸部に係合するように前記可動部材に形成された第２の凹凸部とからなる構成としてもよい。
【考案の効果】
【００１４】
以上説明したように、本考案の網戸付き扉装置は、建物の開口部の一方の側に回動可能に設置される親扉と、開口部の他方の側に回動可能に設置される子扉と、子扉と実質的に同じ大きさを有し、開口部の子扉が設置される側に子扉とは反対の方向に回動可能に設置される網戸とを有するので、構造が簡素であって、取り付けに多くのスペースを必要としない網戸付き扉装置を提供することができる。
【００１５】
さらに、子扉を開いて網戸を閉じた状態のときに親扉のラッチを受けるために網戸に備えられたラッチ受け具を有する構成とすることにより、子扉を開き網戸を閉じた状態のときに親扉が不用意に開いてしまうことを防ぐことができる。
【考案を実施するための最良の形態】
【００１６】
次に、本考案の実施形態について図面を参照して説明する。
【００１７】
図１は本考案の網戸付き扉装置の一実施形態を示す全体斜視図である。図１は、扉装置を建物の外側から見た状態を示している。また、図２は図１に示した網戸付き扉装置を上側から見た図である。
【００１８】
この扉装置は、建物の開口部の一方の側に丁番１ａを介して回動可能に取り付けられた親扉１と、開口部の他方の側に丁番２ａを介して回動可能に取り付けられた子扉２とを有し、これらの親扉１と子扉２との２つの扉が外側に開くいわゆるフレンチ扉である。このような扉装置は、例えば建物の玄関に設置される。このようなフレンチ扉は普段は子扉２を閉じた状態で使用され、人は親扉１だけを開閉させて建物に出入りする。一方、開口部を広く開放したい場合には、親扉１と子扉２との両方が建物の外側に開かれる。なお、図１および図２では親扉１が閉位置にあり、子扉２が開位置にある状態を示している。
【００１９】
親扉１の上部にはドアチェック１ｃが備えられており、親扉１はこのドアチェック１ｃによって開位置または閉位置のいずれかの位置に保持される。また、子扉２の下部にはフランス落し２ｂが設けられており、子扉２の開位置と閉位置とに対応して床面に設けられた窪みにフランス落し２ｂを係止することで、子扉２は開位置または閉位置のいずれかの位置に固定される。
【００２０】
本実施形態の網戸付き扉装置は、上記のような扉装置に対し、子扉２とほぼ同じ大きさの網戸３が備えられている。主に図３を参照して説明すると、網戸３は、建物の開口部の子扉２が取り付けられている側に丁番３ａを介して回転可能に取り付けられている。子扉２が建物の外側に開閉可能になっているのに対し、網戸３は建物の内側に開閉可能になっている。網戸３の上部と下部にはそれぞれ上側フランス落し３ｃと下側フランス落し３ｄが設けられている。網戸３が閉位置にあるとき、上側フランス落し３ｃを建物の開口部の上側の梁等に取り付けられた受け金具に係止し、下側フランス落し３ｄを床面に設けられた窪みに係止することにより、網戸３を閉位置に固定することが可能である。網戸３を開位置に固定する場合には、網戸３の開位置に対応して床面に設けられた窪みに下側フランス落し３ｄを係止する。
【００２１】
なお、図２に示すように、子扉２を開放した状態では網戸３と親扉１との間に隙間が生じ、その隙間から虫等が建物内に侵入してくるおそれがあるため、本実施形態ではその隙間を塞ぐシールゴム５が設けられている。このシールゴム５は、例えば網戸３の枠３ｂにその上下方向の全長にわたって延びるように取り付けられている。
【００２２】
上述したように、フレンチ扉は普段の出入り時には子扉２が使用されない。そこで、本実施形態のように子扉２に対応する網戸３を設け、子扉２を開放状態で固定することにより、開口部の子扉２が開いた領域を防虫通風開口として利用することが可能になる。その領域を防虫通風開口として利用することができれば、防虫通風効果は十分に得ることができる。
【００２３】
この構成によれば、網戸３が子扉２とほぼ同じ大きさを有すれば足りることから、建物の開口部全体を覆う大きさを有するものに比べて大幅に小型化を図ることができる。そのため、網戸３を丁番３ａで開閉可能な１枚構成としても開閉に多くのスペースを要しない。また、網戸３を折り戸式やスライド式のような複雑な構成にする必要がないため、網戸３自体のコストおよびその取り付けコストを低く抑えることができる。
【００２４】
本実施形態のように親扉と子扉とを有するフレンチ扉式の扉装置では普段の出入りは親扉１の開閉だけで行われるため、通常は出入り時に網戸３が開閉されることはない。従来のように網戸が建物の開口部全体を覆う構成では出入りの度に網戸が開閉されるため網戸が故障しやすいが、本実施形態の構成では網戸３の開閉頻度が低くなることから網戸３を長持ちさせることができる。
【００２５】
親扉１と子扉２とが閉位置にあるときには、フランス落し２ｂ（図１参照）で閉位置に固定された子扉２のラッチ受け２ｃに親扉１のラッチ１ｂが係止する。このときには、親扉１が子扉２に対して風などによって不用意に開いてしまうことはない。しかし、図２等に示すように子扉２を開いた状態では親扉１のラッチ１ｂが子扉２のラッチ受け２ｃに係止しないため、何らかの措置を講じない限り、親扉１は風などによって不用意に開いてしまうおそれがある。そこで、本実施形態の網戸付き扉装置は、子扉２を開いた状態のときに親扉１のラッチ１ｂを受けるラッチ受け金具４（図２等参照）が網戸３の枠３ｂに設けられている。網戸３はフランス落し３ｃ，３ｄによって閉位置に固定されるので、網戸３に設けられたラッチ受け金具４に親扉１のラッチ１ｂを係止させることで、親扉１が不用意に開いてしまうことを防止することができる。
【００２６】
ここで、ラッチ受け金具４について図４〜図６を参照して説明する。図４はラッチ受け金具を示す斜視図、図５はラッチ受け金具の分解斜視図、図６はラッチ受け金具の動作を説明するための図である。
【００２７】
主に図４を参照すると、ラッチ受け金具４は、網戸３の枠３ｂに固定される固定金具１０と、固定金具１０に対して丁番１２によって回動自在に支持された可動金具１１とを有している。丁番１２は、固定金具１０の下側および上側に設けられた固定側円筒部１３，１３’と、可動金具１１に設けられた可動側円筒部１４と、２つの固定側円筒部１３，１３’の間に可動側円筒部１４を通すように円筒部１３，１３’，１４に挿通された軸１５とで構成されている。可動側円筒部１４は、２つの固定側円筒部１３，１３’の間を軸１５に沿って移動できるようになっている。図４に示すように可動金具１１が固定金具１０に対して開いた状態では、親扉１のラッチ１ｂが可動金具１１に形成されているラッチ受け開口１１に係止可能である。
【００２８】
次に図５（ａ）を参照すると、固定金具１０の下側に設けられた固定側円筒部１３の上部には、円筒部１３の半周部分を切り欠くようにして、それぞれ半円形状の凸部１３ａと凹部１３ｂとが形成されている。一方、可動金具１１に設けられた可動側円筒部１４の下部には、同様に円筒部１４の半周部分を切り欠くようにして、それぞれ半円形状の凸部１４ａと凹部１４ｂとが形成されている。各凸部１３ａ，１４ａの軸方向の高さは実質的に同じである。固定金具１０に形成された第１の凹凸部としての凹凸部１３ａ，１３ｂと、可動金具１１に形成された第２の凹凸部としての凹凸部１４ａ，１４ｂとは、可動金具１１が固定金具１０に対して所定の角度（約９０°）に開いたときに可動金具１１と固定金具１０とを互いに係止する係止部として機能する。
【００２９】
図５（ｂ）に示すように、可動金具１１が固定金具１０に対して閉じた状態のときには、固定側円筒部１３の凸部１３ａの端部と可動側円筒部１４の凸部１４ａの端部とが互いに当接している。したがって、可動側円筒部１４は凸部１３ａの高さの分だけ軸方向上方に持ち上げられた状態になっている。
【００３０】
次に、ラッチ受け金具４の動作について主に図６を参照して説明する。
【００３１】
図６（ａ）に示すように可動金具１１が固定金具１０に対して約９０°の角度に開くと、固定側円筒部１３の凹凸部１３ａ，１３ｂと可動側円筒部１４の凹凸部１４ａ，１４ｂとが互いに係合する位置に配置される。すると、可動側円筒部１４は凸部１３ａの高さの分だけ軸方向下方に落ち、固定側円筒部１３の凹凸部１３ａ，１３ｂと可動側円筒部１４の凹凸部１４ａ，１４ｂとが互いに巴状に係合する。これにより、可動金具１１は固定金具１０に対して約９０°の角度に開いた状態で固定される。このように可動金具１１が固定金具１０に対して固定されることで、図２に示すように、可動金具１１のラッチ受け開口１１ｂに親扉１のラッチ１ｂを係止させることが可能になる。
【００３２】
その一方で、図２に示すように可動金具１１が固定金具１０に対して約９０°の角度に開いた状態で固定されていると、子扉２を閉じようとした場合には子扉２が可動金具１１に当接して閉じることができない。そのため、網戸３を図２に示すように閉じた状態で子扉２を閉じる場合には、可動金具１１を固定金具１０に対して閉じる必要がある。
【００３３】
可動金具１１を固定金具１０に対して閉じるには、まず、可動金具１１を軸方向上方に少なくとも凸部１３ａの高さの分だけ持ち上げて、固定側円筒部１３の凹凸部１３ａ，１３ｂと可動側円筒部１４の凹凸部１４ａ，１４ｂとの係合状態を解除する。これにより、可動金具１１は固定金具１０に対して回転可能になる。次に、可動金具１１を固定金具１０に対して閉じる方向に回転させると、図６（ｂ）に示すように可動金具１１を固定金具１０に対して閉じることができる。
【００３４】
このように、本実施形態の網戸付き扉装置は上記のように構成されたラッチ受け金具４を備えているので、子扉２を開いて網戸３を閉じた状態でも、親扉１が不用意に開閉してしまうことを防止することができる。
【図面の簡単な説明】
【００３５】
【図１】本考案の網戸付き扉装置の一実施形態を示す全体斜視図である。
【図２】図１に示した網戸付き扉装置を上側から見た図である。
【図３】図１等に示した網戸の各部構成を示す図である。
【図４】ラッチ受け金具を示す斜視図である。
【図５】ラッチ受け金具の分解斜視図である。
【図６】ラッチ受け金具の動作を説明するための図である。
【符号の説明】
【００３６】
１    親扉
１ａ，２ａ，３ａ，１２    丁番
１ｂ    ラッチ
１ｃ    ドアチェック
１ｄ    ドアハンドル
２    子扉
２ｂ，３ｃ，３ｄ    フランス落し
２ｃ  ラッチ受け
３    網戸
３ｂ  枠
４    ラッチ受け金具
５    シールゴム
１０    固定金具
１１    可動金具
１１ａ  ラッチ受け開口
１３，１３’    固定側円筒部
１３ａ，１４ａ    凸部
１３ｂ，１４ｂ    凹部
１４    可動側円筒部
１５    軸
【図１】
0003107270.tif 000003
【図２】
0003107270.tif 000004
【図３】
0003107270.tif 000005
【図４】
0003107270.tif 000006
【図５】
0003107270.tif 000007
【図６】
0003107270.tif 000008